(57)【特許請求の範囲】
【請求項１】
電動送風機と、この電動送風機の吸込側に集塵室を設けた掃除機本体と、この掃除機本体に接続される吸込口体とを具備し、前記吸込口体は、底面に開口する吸込室が形成された吸込口本体と、この吸込口本体に一端部が取り付けられ且つ掃除機本体の集塵室に連通させる回転管を備え、前記回転管には内外二重の同心の内筒部と外筒部が設けられ、前記内筒部内に前記吸込室を前記集塵室に連通させる吸込風路が形成され、前記内筒部と外筒部との間に前記掃除機本体からの排気風を前記吸込室に還流させる還流風路が設けられ、前記回転管が前記内筒部及び外筒部の部分において吸込口本体側回転管と掃除機本体側回転管とに分割されていると共に、前記吸込口本体側回転管と掃除機本体側回転管の内筒部同士及び外筒部同士が互いに嵌合してオーバーラップした状態で軸線周りに回動可能に保持されている電気掃除機であって、
前記吸込口本体側回転管の内筒部と外筒部との間には底壁を有する環状空間が形成され、前記底壁には前記排気風を前記吸込室に還流させる還流風路が形成され、前記掃除機本体側回転管の外筒部の端部は前記吸込口本体側回転管の外筒部内に前記底壁に近接する位置までオーバーラップした状態で嵌合され、且つ、前記掃除機本体側回転管の内筒部の端部は前記吸込口本体側回転管の内筒部外周に前記底壁に近接する位置までオーバーラップした状態で嵌合されていることを特徴とする電気掃除機。
【請求項２】
前記掃除機本体側回転管に設けた外筒部の端部外周面には周方向に向かう環状の係合溝が形成され、前記吸込口本体側回転管の外筒部の端部には取付穴が形成され、前記取付穴には前記係合溝に係合する保持部材が挿入保持されていることを特徴とする請求項１に記載の電気掃除機。
【発明の詳細な説明】
【０００１】
【発明の属する技術分野】
この発明は、掃除機本体の排気風を吸込口体の吸込室に還流させる還流風路が吸込口体の回転管に設けられている電気掃除機で、特にアップライトタイプの電気掃除機に関するものである。
【０００２】
【従来の技術】
従来、この種の電気掃除機は、底面に開口する吸込室が形成された吸込口本体と、吸込口本体後部の左右方向中央部に上下回動可能に取り付けられた回転管を備えているのが普通である。
【０００３】
この様な電気掃除機において、吸込口本体の吸込室内に回転清掃体を回転自在に保持させると共に、掃除機本体の排気風の一部を回転管に設けた還流風路を介して吸込室に還流させ、この還流風を回転清掃体のブレードに吹き付けることにより、回転清掃体を回転駆動して、回転清掃体で清掃面の塵埃を掻き上げる様にしたものが考えられている。
【０００４】
【発明が解決しようとする課題】
しかしながら、この様な還流風路を設けた電気掃除機では、回転管が吸込口体に対して上下に回動するのみで、吸込口本体を掃除機本体に対して回転管の軸線周りに回動させることができないものであった。
【０００５】
このため、この様な吸込口体を有する電気掃除機では、吸込口本体の長手方向が挿入可能な狭い場所の清掃を行いたい場合であっても、この吸込口本体の長手方向を吸込口体の移動方向に向けることができないため、狭い場所の清掃が困難であった。
【０００６】
そこで、この発明は、還流風路が設けられた回転管を有していても、掃除機本体を回転管の部分で軸線周りに回動させることができると共に、回転管の回動部における還流風の漏れを確実に防止できる電気掃除機を提供することを目的とするものである。
【０００７】
【課題を解決するための手段】
この目的を達成するため、請求項１の発明は、電動送風機と、この電動送風機の吸込側に集塵室を設けた掃除機本体と、この掃除機本体に接続される吸込口体とを具備し、前記吸込口体は、底面に開口する吸込室が形成された吸込口本体と、この吸込口本体に一端部が取り付けられ且つ掃除機本体の集塵室に連通させる回転管を備え、前記回転管には内外二重の同心の内筒部と外筒部が設けられ、前記内筒部内に前記吸込室を前記集塵室に連通させる吸込風路が形成され、前記内筒部と外筒部との間に前記掃除機本体からの排気風を前記吸込室に還流させる還流風路が設けられ、前記回転管が前記内筒部及び外筒部の部分において吸込口本体側回転管と掃除機本体側回転管とに分割されていると共に、前記吸込口本体側回転管と掃除機本体側回転管の内筒部同士及び外筒部同士が互いに嵌合してオーバーラップした状態で軸線周りに回動可能に保持されている電気掃除機であって、前記吸込口本体側回転管の内筒部と外筒部との間には底壁を有する環状空間が形成され、前記底壁には前記排気風を前記吸込室に還流させる還流風路が形成され、前記掃除機本体側回転管の外筒部の端部は前記吸込口本体側回転管の外筒部内に前記底壁に近接する位置までオーバーラップした状態で嵌合され、且つ、前記掃除機本体側回転管の内筒部の端部は前記吸込口本体側回転管の内筒部外周に前記底壁に近接する位置までオーバーラップした状態で嵌合されている電気掃除機としたことを特徴とする。
【０００９】
更に、請求項２の発明は、前記掃除機本体側回転管に設けた外筒部の端部外周面には周方向に向かう環状の係合溝が形成され、前記吸込口本体側回転管の外筒部の端部には取付穴が形成され、前記取付穴には前記係合溝に係合する保持部材が挿入保持されていることを特徴とする
【００１０】
【発明の実施の形態】
以下、この発明の実施の形態を図面に基づいて説明する。
【００１１】
図１および図２に示すアップライト型の電気掃除機は、掃除機本体１と吸込口体２とから構成されている。
[掃除機本体１]
掃除機本体１の上端には図１に示したようにハンドル３が軸４により枢着されており、このハンドル３には操作スイッチ５が設けられている。このハンドル３は、掃除機本体１の長手方向に延ばした位置に固定して使用できると共に、軸４を中心に回動させて本体１の裏面に沿う状態に位置させて収納することができるようになっている。
【００１２】
掃除機本体１内には、集塵室６と、この集塵室６に設けられた集塵フィルタＦと、集塵室６を負圧にする電動送風機７と、集塵室６と隔壁１ａで区画され且つ電動送風機７から排気される空気（排気風）の一部を矢印８の如く吸込口体２へ還流させる還流室９とが設けられている。１０は塵埃吸引用のホースである。
【００１３】
掃除機本体１内の下部には、図２に示したように、還流室９の下端部内に挿入され且つ還流室９の下端開口を閉成する接続口体１１が取り付けられている。この接続口体１１は、大径筒部１２と、この大径筒部１２から上方に延びた小径筒部１３と、この小径筒部１３から左方に分岐された枝管１４とを備えている。
【００１４】
この枝管１４の周囲と還流室９との間は筒部１４ａで区画され、枝管１４は筒部１４ａに挿入したホース１０の一端部１０Ａに接続されており、小径筒部１３は集塵室６に連通させられている。このホース１０の他端部（先端部）は、通常、掃除機本体１の上端部に着脱可能に装着されていると共に、この装着により閉成されている。そして、ホース１０は、先端部を掃除機本体１から取り外すことにより、塵埃を吸引することができるようになっている。
【００１５】
また、接続口体１１の筒部１２，１３間を連設する段壁部１５には還流室９及び大径筒部１２内に開口する連通孔１６が形成されている。
[吸込口体２]
吸込口体２は、図２，図３に示したように吸込口本体１７と、この吸込口本体１７の左右方向中央部に取り付けられる回転管１８とを備えている。
<吸込口本体１７>
吸込口本体１７は、底面１７Ａに設けた吸込開口１９と、吸込開口１９の上方に位置する吸込室２０と、この吸込室２０に設けた回転清掃体２１とを有している。吸込室２０の上には吹出し室２２が区画形成されている。この吹出し室２２と吸込室２０とを区画した区画壁２３には、吹出し室２２に導入される空気を回転清掃体２１のブレード２１ａに向けて吹き出させる吹出孔２４が設けられている。また、吸込口本体１７の後部側には、左右方向の中央部に位置させて半円筒状の回転管受け部（回転管連結部）２５が形成されている。この回転管受け部２５は、後ろ斜め上方に解放すると共に円弧面２５ａを有する。しかも、回転管受け部２５の中央部には、吸込室２０に連通する連通口２６が設けられている。
【００１６】
また、吸込口本体１７の後部には、図３に示したように回転管受け部２５の両側に位置させて軸受部１７ａ，１７ａが形成されていると共に、軸受部１７ａ，１７ａの側方に位置させて還流風路１７ｂ，１７ｂが形成されている。この還流風路１７ｂ，１７ｂは図示しない位置で吹出し室２２に連通している。
＜回転管１８＞
回転管１８は、図２，図３に示したように、吸込口本体側回転管２７と掃除機本体側回転管２８とに分割されている。
（吸込口本体側回転管２７）
この吸込口本体側回転管２７は、内外二重の同心の内筒部２７ａと外筒部２７ｂ、及び外筒部２７ｂの下端を内筒部２７ａに連設する底壁（連設壁）２７ｃを有する。この内筒部２７ａの上部には薄肉筒部２７ｄが形成され、外筒部２７ｂには１８０°の間隔をおいて２つの取付穴２７ｅ，２７ｅ（図２，図４（ａ），図７〜図９参照）が形成されている。
【００１７】
しかも、内筒部２７ａの下端（一端）には、図５，図７に示したような連設部２９を介して筒状係合部３０が一体に設けられている。この筒状係合部３０は、軸線Ｏが内筒部２７ａの軸線と直行する方向に向けて延設されている。また、筒状係合部３０の両端部には、図２〜図１１に示したように、筒状係合部３０より小径の筒軸部３１，３１が筒状係合部３０と同軸に設けられている。この筒状係合部３０は吸込口本体１７の回転管受け部２５に係合され、筒軸部３１，３１は吸込口本体１７の軸受部１７ａ１７ａに回動自在に保持されている。これにより、吸込口本体側回転管２７は筒軸部３１，３１を中心に上下回動可能に吸込口本体１７に取り付けられている。
【００１８】
また、吸込口本体側回転管２７は、図２〜図５，図９に示したように、内筒部２７ａ，連設部２９及び筒状係合部３０に跨って形成された吸込風路３２を有している。この吸込風路３２は、回転管受け部２５の連通口２６に連通している。
【００１９】
更に、内筒部２７ａと外筒部２７ｂとの間には図６，図８，図９に示したように環状空間３３が形成され、連設部２９及び筒状係合部３０には図３，図６，図８，図１０，図１１に示したように環状空間３３と筒軸部３１，３１内を連通させる還流風路３４が形成されている。
【００２０】
筒状係合部３０の上部と回転管受け部２５の上部との間には円弧状のシャッタＳが配設されている。そして、シャッタＳは、回転管２７を起立させると、回転管２７に押されて下方に移動して図２の如く連通口２６を狭くし、回転管２７を下方に回動させると、筒状係合部３０の突部３０ａにより上方に移動させられて連通口２６は開放されるようになっている。
（掃除機本体側回転管２８）
また、掃除機本体側回転管２８は、内外二重の同心の内筒部２８ａと外筒部２８ｂ及び筒部２８ａ，２８ｂを連設するリブ２８ｃを有する。この内筒部２８ａと外筒部２８ｂとの間には還流風路３５が形成されている。
【００２１】
この内筒部２８ａの下端部には内外二重の薄肉筒部２８ｄ，２８ｅが形成され、この薄肉筒部２８ｄ，２８ｅ間には、図２，図３，図４（ａ），図１２に示したように、周方向に延び且つ下端に開口する環状シール溝２８ｆが形成されている。しかも、小径筒部２８ｄは大径筒部２８ｅより長さが短く形成されている。そして、環状シール溝２８ｆには、吸込口本体側回転管２７の内筒部２７ａに設けた薄肉筒部２７ｄが軸線周りに回転可能に嵌合されている。
【００２２】
更に、掃除機本体側回転管２８の外筒部２８ｂの下端部の外径は吸込口本体側回転管２７の下端部の外筒部２７ｂの内径よりも小さく形成されていると共に、この外筒部２８ｂの下端部は外筒部２７ｂの下端部内に嵌合されている。
【００２３】
しかも、掃除機本体側回転管２８の外筒部２８ｂ及び薄肉筒部２８ｅは吸込口本体側回転管２７の内筒部２７ａと外筒部２７ｂとの間に配設されている。これに加えて、外筒部２８ｂは吸込口本体側回転管２７の底壁２７ｃに近接する位置まで吸込口本体側回転管２７の外筒部２７ｂとオーバーラップしており、薄肉筒部２８ｅは吸込口本体側回転管２７の底壁２７ｃに近接する位置まで吸込口本体側回転管２７の内筒部２７ａとオーバーラップしている。この結果、掃除機本体側回転管２８の還流風路３５は吸込口本体側回転管２７の還流風路３４に直接連通することになって、吸込口本体側回転管２７と掃除機本体側回転管２８との接続部において還流風路に継ぎ目が生じないので、この接続部においては還流風が還流風路３５を介して還流風路３４に滑らかに案内される。
【００２４】
この外筒部２８ｂの端部の外周面には、図２〜図４，図１２，図１３に示したように、周方向に向かう環状の係合溝２８ｇが形成されている。この係合溝２８ｇには吸込口本体側回転管２７の取付穴２７ｅが対応していて、この取付穴２７ｅには円弧状の保持部材（抜け止め部材）３６が嵌着されている。
【００２５】
この保持部材３６は、図４（ａ）〜（ｄ）に示したように、一端の内径側に係止爪３６ａを有し、他端部の内径側に弾性係止爪３６ｂを有する。この保持部材３６の取り付けに際しては、係止爪３６ａを取付穴２７ｅを介して外筒部２７ｂの内面側に挿入した後、弾性係止爪３６ｂを自己の弾性力に抗して係止爪３６ａ側に撓ませながら取付穴２７ｅ内を外筒部２７ｂの内側に移動させる。そして、弾性係止爪３６ｂは、外筒部２７ｂの内側に移動したとき、自己の弾性力により係止爪３６ａとは反対側に復帰して、外筒部２７ｂの内面に係止されることになる。この状態では、保持部材３６の内径側の部分が係合溝２８ｇに係合して、掃除機本体側回転管２８の外筒部２８ｂが吸込口本体側回転管２７の下端部の外筒部２７ｂから抜けはずれるのを防止していると共に、外筒部２７ｂ，２８ｂ同士の周方向への相対回転が許容される様になっている。
【００２６】
尚、内筒部２８ａは外筒部２８ｂより長く形成されていて、内筒部２８ａは接続口体１１の小径筒部１３に着脱可能に嵌着され、外筒部２８ｂは接続口体１１の大径筒部１２に着脱可能に嵌着されている。この内筒部２８ａには、内部の吸込風路３２と枝管１４とを連させる連通口３７が形成されている。
【００２７】
次に、この様な構成の電気掃除機の作用を説明する。
＜塵埃吸込及び還流風の作用＞
ハンドル３を掃除機本体１の長手方向に沿って延ばした状態にして固定する。そして、ハンドル３の操作スイッチ５を操作すると電動送風機７が作動する。電動送風機７の作動により集塵室６が負圧となり、この負圧が回転管１８の吸込風路３２，連通口２６を介して吸込室２０に作用し、吸込口本体１７の吸込口１９から空気が吸引される。そして、この吸引された空気は、吸込室２０，連通口２６，吸込風路３２を介して集塵室６のフィルタＦ内に吸い込まれた後、電動送風機７に吸い込まれて排出される。
【００２８】
この電動送風機７から排気される空気は、掃除機本体１の還流室９、連通孔２６，回転管１８の還流風路３５，３４，筒軸３１，３１及び還流風路１７ｂ，１７ｂを介して吸込口本体１７の吹出し室２２に還流される。吹出し室２２に還流された空気（還流風）は、吹出孔２４から下方に向けて吹き出す。この空気の吹き出しにより回転清掃体２１が回転していき、床面に付着している塵埃を掻き上げていく。また、吹出孔２２からの下方への空気の吹き出しにより、床面の塵埃が吹き上げられていくので、吸込室２０に空気と共に吸引されていく塵埃の吸引効率が向上する。そして、この空気と共に吸引された塵埃はフィルタＦで捕捉されることになる。
【００２９】
また、外筒部２８ｂは吸込口本体側回転管２７の底壁２７ｃに近接する位置まで吸込口本体側回転管２７の外筒部２７ｂとオーバーラップしており、薄肉筒部２８ｅは吸込口本体側回転管２７の底壁２７ｃに近接する位置まで吸込口本体側回転管２７の内筒部２７ａとオーバーラップしているので、上述のような吸引に際して、吸込口本体側回転管２７と掃除機本体側回転管２８との接続部から空気が漏れるようなことがない。
【００３０】
しかも、掃除機本体側回転管２８の外筒部２８ｂ及び薄肉筒部２８ｅは吸込口本体側回転管２７の内筒部２７ａと外筒部２７ｂとの間に配設されていて、吸込口本体側回転管２７と掃除機本体側回転管２８との接続部において還流風路に継ぎ目が生じないので、この接続部においては還流風が還流風路３５を介して還流風路３４に滑らかに案内される。
＜回転管の作用＞
また、回転管１８は筒状係合部３０の軸線Ｏを中心に上下に回動できるので、掃除機本体１は軸線Ｏを中心に回転管１８と一体に上下回動できる。これにより、掃除機本体１を前後移動させたときに、吸込口本体１７の下面が浮き上がることなく清掃面に沿って移動することになる。
【００３１】
そして、掃除機本体１を上方に回動させて図２の如く起立させた状態では、回転管２７も起立していて、シャッタＳが回転管２７に押されて下方に移動して連通口２６を狭くしている。一方、掃除機本体１を図２の起立位置から軸線Ｏを中心に半時計回り方向に回動させて、回転管２７を下方に回動させると、シャッタＳは筒状係合部３０の突部３０ａにより上方に移動させられて連通口２６は開放される。
【００３２】
しかも、回転管１８は掃除機本体側回転管２８と吸込口本体側回転管２７が軸線周りに相対回転できるので、吸込口本体１７又は掃除機本体１を回転管１８の軸線周り（掃除機本体側回転管２８及び吸込口本体側回転管２７の軸線周り）に回転させると、掃除機本体側回転管２８と吸込口本体側回転管２７とが相対回転して、掃除機本体１の吸込口本体１７に対する向き、即ち吸込口本体１７の長手方向が掃除機本体１の移動方向に対して左右・前後方向に変わることになる。
【００３３】
従って、通常は、吸込口本体１７を掃除機本体１の移動方向に対して左右方向に向けて使用するが、狭い場所を清掃する場合には吸込口本体１７の長手方向を前後方向に向けることで、吸込口本体１７を狭い場所に入れることもできる。
【００３４】
この様に、吸込口本体１７の長手方向の向きを左右又は前後に向けることで、吸込口本体１７を目的の位置に容易に移動操作し、清掃面の清掃を行うことができることになる。
【００３５】
【発明の効果】
以上説明したように、請求項１の発明は、電動送風機と、この電動送風機の吸込側に集塵室を設けた掃除機本体と、この掃除機本体に接続される吸込口体とを具備し、前記吸込口体は、底面に開口する吸込室が形成された吸込口本体と、この吸込口本体に一端部が取り付けられ且つ掃除機本体の集塵室に連通させる回転管を備え、前記回転管には内外二重の同心の内筒部と外筒部が設けられ、前記内筒部内に前記吸込室を前記集塵室に連通させる吸込風路が形成され、前記内筒部と外筒部との間に前記掃除機本体からの排気風を前記吸込室に還流させる還流風路が設けられ、前記回転管が前記内筒部及び外筒部の部分において吸込口本体側回転管と掃除機本体側回転管とに分割されていると共に、前記吸込口本体側回転管と掃除機本体側回転管の内筒部同士及び外筒部同士が互いに嵌合してオーバーラップした状態で軸線周りに回動可能に保持されている電気掃除機であって、前記吸込口本体側回転管の内筒部と外筒部との間には底壁を有する環状空間が形成され、前記底壁には前記排気風を前記吸込室に還流させる還流風路が形成され、前記掃除機本体側回転管の外筒部の端部は前記吸込口本体側回転管の外筒部内に前記底壁に近接する位置までオーバーラップした状態で嵌合され、且つ、前記掃除機本体側回転管の内筒部の端部は前記吸込口本体側回転管の内筒部外周に前記底壁に近接する位置までオーバーラップした状態で嵌合されている構成としたので、還流風路が設けられた回転管を有していても、掃除機本体を回転管の部分で軸線周りに回動させることができる。これにより、吸込口本体の長手方向が挿入可能な狭い場所の清掃を行いたい場合であっても、この吸込口本体の長手方向を吸込口体の移動方向に向けることができるので、狭い場所の清掃ができる。
【００３６】
しかも、前記吸込口本体側回転管と掃除機本体側回転管の内筒部同士及び外筒部同士が互いに嵌合してオーバーラップしているので、掃除機本体による吸引や空気の還流に際して、吸込口本体側回転管と掃除機本体側回転管との接続部から空気が漏れるのを確実に防止できる。
【００３７】
更に、前記吸込口本体側回転管の内筒部と外筒部との間には底壁を有する環状空間が形成され、前記底壁には前記排気風を前記吸込室に還流させる還流風路が形成され、前記掃除機本体側回転管の外筒部の端部は前記吸込口本体側回転管の外筒部内に前記底壁に近接する位置までオーバーラップした状態で嵌合され、且つ、前記掃除機本体側回転管の内筒部の端部は前記吸込口本体側回転管の内筒部外周に前記底壁に近接する位置までオーバーラップした状態で嵌合されている構成としたので、吸込口本体側回転管と掃除機本体側回転管との接続部において還流風路に継ぎ目が生じない。この結果、この接続部においても還流風を滑らかに案内することができる。
【００３８】
また、請求項２の発明は、前記掃除機本体側回転管に設けた外筒部の端部外周面には周方向に向かう環状の係合溝が形成され、前記吸込口本体側回転管の外筒部の端部には取付穴が形成され、前記取付穴には前記係合溝に係合する保持部材が挿入保持されている構成としたので、吸込口本体側回転管と掃除機本体側回転管との接続部において還流風路に継ぎ目が生じない状態で、吸込口本体側回転管と掃除機本体側回転管とを容易に抜け外れ不能に且つ相対化移転可能に接続できる。
【図面の簡単な説明】
【図１】この発明に係る吸込口体を備える電気掃除機を部分的に破断して示した概略斜視図である。
【図２】図１に示した吸込口体の要部拡大断面図である。
【図３】図２のシャッタを省略した状態でのＡ−Ａ線（図７のＡ′−Ａ′線参照）に沿う断面図である。
【図４】（ａ）は図２のＢ−Ｂ線に沿う断面図、（ｂ）は（ａ）の保持部材の平面図、（ｃ）は（ｂ）の保持部材の左側面図、（ｄ）は（ｂ）の保持部材の右側面図である。
【図５】図２に示した吸込口本体側回転管の正面図である。
【図６】図５の吸込口本体側回転管の平面図である。
【図７】図５の吸込口本体側回転管の左側面図である。
【図８】図７のＣ−Ｃ線に沿う断面図である。
【図９】図８のＤ−Ｄ線に沿う断面図である。
【図１０】図７のＥ−Ｅ線に沿う断面図である。
【図１１】図７のＦ−Ｆ線に沿う断面図である。
【図１２】図２の掃除機本体側回転管の側面図である。
【図１３】図１２の掃除機本体側回転管の底面図である。
【符号の説明】
１・・・掃除機本体
６・・・集塵室
１７・・・吸込口本体
１８・・・回転管
２０・・・吸込室
２７・・・吸込口本体側回転管
２７ａ・・・内筒部
２７ｂ・・・外筒部
２７ｅ・・・取付穴
２８・・・掃除機本体側回転管
２８ａ・・・内筒部
２８ｂ・・・外筒部
２８ｇ・・・環状の係合溝
３２・・・吸込風路
３５・・・還流風路
３６・・・保持部材（抜け止め部材）
【図１】
0003788705.tif 000002
【図２】
0003788705.tif 000003
【図３】
0003788705.tif 000004
【図４】
0003788705.tif 000005
【図５】
0003788705.tif 000006
【図６】
0003788705.tif 000007
【図７】
0003788705.tif 000008
【図８】
0003788705.tif 000009
【図９】
0003788705.tif 000010
【図１０】
0003788705.tif 000011
【図１１】
0003788705.tif 000012
【図１２】
0003788705.tif 000013
【図１３】
0003788705.tif 000014